(57)【要約】  【課題】  本発明は、ゴミや埃等の内部筐体への侵入を防ぎ、光学系移動ユニットが備える各ミラーに対するゴミや埃等の付着を防止できるとともに、画像の劣化を防止することができる画像読取装置を提供することを目的とする。  【解決手段】  外装カバー２の裏面（即ち、左側板２ａの裏面２ｃ）に、挿通孔３０、３１を各々シールするための弾性シール部材７０、７１が設けられている。この弾性シール部材７０、７１は、一端部７０ａ、７１ａが、各々、外装カバー２の裏面に貼り付けられている。そして、止めネジ１８、１９を、各々、外装カバー２に形成された挿通孔３０、３１に挿通する際に、弾性シール部材７０、７１は、止めネジ１８、１９に押されて撓み、止めネジ１８、１９が、各々、外装カバー２に形成された挿通孔３０、３１に挿通されることを許容する位置に上記弾性シール部材７０、７１がくる。  【選択図】  図４
2008287278.tif 000002
【特許請求の範囲】
【請求項１】
原稿からの反射光を更に反射させるミラーを保持する光学系移動ユニットと、装置本体の外装カバーと、装置本体の内部筐体とを備えるとともに、前記光学系移動ユニットを固定するための固定部材を前記光学系移動ユニット、外装カバー、及び内部筐体の各々に形成された孔に挿通し、前記固定部材を前記光学系移動ユニットに取り付けることにより、前記光学系移動ユニットを画像読取装置本体に固定する画像読取装置において、
前記外装カバーの裏面には、前記外装カバーに形成された孔をシールするための弾性シール部材が設けられており、前記弾性シール部材の一端部が、前記外装カバーの裏面に貼り付けられていることを特徴とする画像読取装置。
【請求項２】
前記固定部材を前記外装カバーに形成された孔に挿通する際に、前記弾性シール部材は前記固定部材に押されて撓み、前記固定部材が前記外装カバーに形成された孔に挿通されることを許容する位置に前記弾性シール部材がくることを特徴とする請求項１に記載の画像読取装置。
【発明の詳細な説明】
【技術分野】
【０００１】
本発明は、スキャナとして単体で用いられたり、複写機やファクシミリ等に搭載されたりして、原稿の画像を読み取る画像読取装置に関する。
【背景技術】
【０００２】
一般に、画像読取装置は、原稿に対して光を照射し、その反射光を複数のミラーで反射させながら集光レンズを通してＣＣＤ等の読取デバイスに導き入れ、この読取デバイスで原稿の画像を電気信号として取得する（読み取る）ようになっている。
【０００３】
ここで、この様な画像読取装置においては、装置を輸送する際に画像読取装置内に設けられた光学系移動ユニットが激しく揺さぶられたり、振動したりして変形・破損する恐れがある。
【０００４】
そこで、上記不都合を回避すべく、従来より、上記光学系移動ユニットを装置本体に固定するための構造を有する画像読取装置が提案されている。この画像読取装置においては、光学系移動ユニットの移動方向と略平行となるように、外装カバー、及び内部筐体に形成された挿通孔に対して、光学系移動ユニットを固定するための固定部材を装置本体の外部より挿通するとともに、光学系移動ユニットの移動方向と略平行となるように光学系移動ユニットに形成されたネジ孔に上記固定部材をねじ込み、当該固定部材の締付力により光学系移動ユニットを装置本体に固定するようになっている（例えば、特許文献１参照）。
【特許文献１】特公平７−１０４５５８公報（第２−３頁、第２−４図）
【発明の開示】
【発明が解決しようとする課題】
【０００５】
しかし、上記従来の画像読取装置においては、輸送時における光学系移動ユニットの移動を規制し、光学系移動ユニット及びその周辺の部品の破損や変形を防止することはできるものの、上述のごとく、外装カバー、及び内部筐体に形成された挿通孔は、光学系移動ユニットの移動方向と略平行となるように形成されているため、固定部材を取り外して光学系移動ユニットの固定状態を解除し、画像読取装置を使用する場合において、上記挿通孔を経由して、外部からゴミや埃等が内部筐体内に非常に入りやすくなってしまい、結果として、光学系移動ユニットが備える各ミラーに当該ゴミや埃等が付着し、画像の劣化が発生するという不都合が生じていた。
【０００６】
そこで、本発明は、上記の問題に鑑みてなされたものであり、ゴミや埃等の内部筐体への侵入を防ぎ、光学系移動ユニットが備える各ミラーに対するゴミや埃等の付着を防止できるとともに、画像の劣化を防止することができる画像読取装置を提供することを目的とする。
【課題を解決するための手段】
【０００７】
上記目的を達成するため、本発明による画像読取装置は、原稿からの反射光を更に反射させるミラーを保持する光学系移動ユニットと、装置本体の外装カバーと、装置本体の内部筐体とを備えるとともに、光学系移動ユニットを固定するための固定部材を光学系移動ユニット、外装カバー、及び内部筐体の各々に形成された孔に挿通し、固定部材を光学系移動ユニットに取り付けることにより、光学系移動ユニットを画像読取装置本体に固定する画像読取装置において、外装カバーの裏面には、外装カバーに形成された孔をシールするための弾性シール部材が設けられており、弾性シール部材の一端部が、外装カバーの裏面に貼り付けられていることを特徴とする。
【０００８】
ここで、本発明においては、固定部材を外装カバーに形成された孔に挿通する際に、弾性シール部材は固定部材に押されて撓み、固定部材が外装カバーに形成された孔に挿通されることを許容する位置に弾性シール部材がくるものとすることができる。
【発明の効果】
【０００９】
本発明によれば、止めネジを取り外して光学系移動ユニットの固定状態を解除し、画像読取装置を使用する場合において、弾性シール部材が外装カバーに形成された挿通孔をシールする構成としているため、ゴミや埃等が内部筐体内に入るのを防止することができる。従って、上記各ミラーに対するゴミや埃等の付着を防止することが可能になるため、結果として、画像の劣化を防止することができるようになる。
【発明を実施するための最良の形態】
【００１０】
以下に、本発明の画像読取装置の実施形態について、図面を参照しながら詳述する。図１は、本発明の実施形態に係る画像読取装置の駆動機構を示す縦断面図であり、図２は、本発明の実施形態に係る画像読取装置の光学上の構成を示す縦断面図である。
【００１１】
図１、及び図２に示すように、画像読取装置１は、金属板で成形された外装カバー２から外形が構成され、左側板２ａ、右側板２ｂを有している。又、当該外装カバー２の内側には内部筐体７が設けられており、当該外装カバー２と内部筐体７により、画像読取装置本体１ａが構成されている。外装カバー２の上面には、原稿が載置されるコンタクトガラス３を備えている。また、外装カバー２内（又は、内部筐体７内）には、コンタクトガラス３に平行（即ち、矢印Ｘの方向）に往復移動可能となるように、相互に独立した第１、第２の光学系移動ユニット４、５が支持されている。
【００１２】
ここで先ず、光学上の詳細な構成について説明する。図１、及び図２に示すように、第１の光学系移動ユニット４は、各種部品を保持する第１の光学系支持部材４０を有しており、この第１の光学系支持部材４０が、コンタクトガラス３に載置された原稿に光を照射する光源であるランプ４１と、このランプ４１からの光を効率よく原稿に照射させるための反射板４２と、原稿からの反射光（以下、「原稿反射光」と記すことがある）を第２の光学系ユニット５に向けて更に反射させる第１のミラー４３とを備えている。他方、第２の光学系移動ユニット５は、各種部品を保持する第２の光学系支持部材５０を有しており、この第２の光学系支持部材５０が、第１のミラー４３からの原稿反射光を更に反射させて後述の画像読取ユニット６に導く第２、第３のミラー５１、５２を備えてなる。なお、図２において、原稿反射光の光路を一点鎖線で示す。
【００１３】
また、図２に示す様に、外装カバー２内（又は、内部筐体７内）の中央よりやや右側板２ｂ寄りには、上記した原稿反射光の光路の上流側から順に集光レンズ６０、及び読取デバイスであるＣＣＤ基板６１を有する画像読取ユニット６が配設されている。
【００１４】
この画像読取ユニット６は、集光レンズ６０及びＣＣＤ基板６１を含む各種部品が取り付けられる取付台６３を保持する基台６２を有しており、この基台６２が外装カバー２の底板上にネジ等で固定されている。基台６２の上面には、取付台６３がビス等で固定されており、この取付台６３の上面には、集光レンズ６０が固定された不図示のレンズ固定板と、ＣＣＤ基板６１が固定されたＣＣＤ固定板６４を連結したＣＣＤ連結板６５とが取り付けられている。
【００１５】
但し、これらのレンズ固定板とＣＣＤ連結板６５は、集光レンズ６０で集光された原稿反射光のＣＣＤ基板６１に対する焦点距離が一律になるように、それぞれ原稿反射光の光軸方向に調整が可能になっている。また、原稿反射光の光軸に対するＣＣＤ基板６１の高さ調整用として、ＣＣＤ固定板６４を貫通してＣＣＤ連結板６５に螺合する高さ調整ネジ６６と、この高さ調整ネジ６６を挿通させつつＣＣＤ固定板６４とＣＣＤ連結板６５との間に介装された圧縮コイルバネ６７とが設けられており、高さ調整ネジ６６のねじ込み度合いにより、ＣＣＤ固定板６４が圧縮コイルバネ６７の弾発力を受けながらＣＣＤ連結板６５に対して上下移動することで、結果としてＣＣＤ基板６１の高さが調整されるようになっている。尚、ＣＣＤ固定板６４には、ＣＣＤ基板６１を取り囲むＣＣＤカバー６８がガスケット６９を介して固定されている。
【００１６】
次に、第１、第２の光学系移動ユニット４、５の往復移動を駆動するための詳細な構成について説明する。第１、第２の光学系移動ユニット４、５は、原稿全域に亘って走査すべく往復移動せられるわけであるが、その際、第１の光学系移動ユニット４は、第２の光学系移動ユニット５に対して常時２倍の速度で往復移動するようになっており、これにより原稿反射光のＣＣＤ基板６１に対する焦点距離、すなわち原稿反射光の光路長が常に一定にされている。このような往復移動は、以下に示す構成で達成できる。
【００１７】
図１、図２に示すように、画像読取ユニット６の後方（右側板２ｂ寄り）には、回転可能に支持された回転軸８が配設されている。この回転軸８の近傍には、第１、第２の光学系移動ユニット４、５の往復移動を司るワイヤ９が巻き付けられたドラム８０が、同軸状で一体的に固定されている。
【００１８】
更に、回転軸８の一端部には、ジョイントプーリ８１が連結されており、このジョイントプーリ８１に張架されたベルト１１によって駆動モータ等の駆動源から駆動が伝達される。即ち、外装カバー２の後側（図１では紙面の奥側）の外方には、回転軸８の回転の駆動源となる駆動モータ１０が配設されるとともに、この駆動モータ１０の出力軸には、回転軸８に連結されたジョイントプーリ８１との間で、ベルト１１が張架されており、このベルト１１によって駆動モータ１０の回転出力が回転軸８に伝達される。なお、ジョイントプーリ８１、及びベルト１１に代えて、歯車で駆動力伝達媒体を構成する場合もある。
【００１９】
また、外装カバー２内の左方側から順に、内部筐体７の左側板７ａに突設された第１の掛け具１２、外装カバー２の前後両側板（不図示）に軸支された第１のプーリ１３、第２の光学系移動枠体５０に軸支された第２のプーリ１４、画像読取ユニット６の基台６２に突設された第２の掛け具１５、及び右側板２ｂに突設されて軸支された第３のプーリ１６が設けられている。更に、第１、第２の光学系移動ユニット４、５各々の往復移動をガイドするガイドレール１７が、コンタクトガラス３と平行に延在するよう設けられている。
【００２０】
そして、実際に第１、第２の光学系移動ユニット４、５の往復移動を司るワイヤ９は、図１に示すように、第１の掛け具１２に一端が固定され、一旦第２のプーリ１４に掛けられた後、第１のプーリ１３に掛けられ、更に回転軸８のドラム８０に複数回巻き付けられた後、第３のプーリ１６に掛けられて戻り、次いで、第１の光学系移動枠体４０が固着され、再び第２のプーリ１４に掛けられて、第２の掛け具１５に他端が固定され、張設されてなる。
【００２１】
この様な構成のもと、駆動モータ１０の出力軸が正回転又は逆回転することにより、回転軸８とともにドラム８０が正回転又は逆回転し、これに伴ってワイヤ９が移動せしめられ、第１、第２の光学系移動ユニット４、５が、所定の速度比を維持しながら往復移動する。これにより、原稿全域に亘って、第１、第２の光学系移動ユニット４、５が原稿面と平行に往復移動し、原稿の画像が読み取られる構成となっている。
【００２２】
尚、上記した画像読取装置１は、実際に走査する光学系移動ユニットとは別体に、読取デバイスであるＣＣＤ基板６１（集光レンズ６０も含む）が外装カバー２に固定された、いわゆる別体型のものであるが、ＣＣＤ基板６１が光学系移動ユニットに固定されてこれと一体的に走査する、いわゆる一体型のものもある。
【００２３】
次に、本発明の実施形態に係る画像読取装置における光学系移動ユニットの固定について、図面を参照しながら詳述する。図３は、本発明の実施形態に係る画像読取装置の固定機構を示す縦断面図である。
【００２４】
本実施形態においては、第１、第２の光学系移動ユニット４、５を固定する際の固定部材として止めネジ１８、１９を用い、第１、第２の光学系移動ユニット４、５を固定する際に、当該止めネジ１８、１９を第１、第２の光学系移動ユニット４、５の往復移動方向（図中のＸ方向）に平行な方向から取り付けるが、外装カバー２の裏面（即ち、左側板２ａの裏面２ｃ）に、挿通孔３０、３１を各々シールするための弾性シール部材７０、７１を設けている点に特徴がある。この特徴に関して、以下に詳細に説明する。
【００２５】
図３に示す様に、外装カバー２の左側板２ａには、挿通孔３０、３１が形成されており、内部筐体７の左側板７ａには、挿通孔３２、３３が形成されている。
【００２６】
又、止めネジ１８、１９は、各々ネジ部１８ａ、１９ａを有している。
【００２７】
又、第１の光学系支持部材４０には、内部筐体７と当接する折曲部４１が設けられており、当該折曲部４１には、挿通孔３２に対応する位置にネジ孔４２が形成されている。又、同様に、第２の光学系支持部材５０には、内部筐体７と当接する折曲部５１が設けられており、当該折曲部５１には、挿通孔３３に対応する位置にネジ孔５２が形成されている。
【００２８】
そして、第１、第２の光学系移動ユニット４、５を固定する際には、まず、外装カバー２の外部から、止めネジ１８を挿通孔３０、３２に挿通するとともに、止めネジ１９を挿通孔３１、３３に挿通する。次いで、第１の光学系支持部材４０に形成されたネジ孔４２にネジ部１８ａを螺合させることにより、止めネジ１８をネジ孔４２に挿通させ、第１の光学系支持部材４０を内部筐体７に対して取り付けることにより、第１の光学系移動ユニット４を画像読取装置本体１ａに固定するとともに、第２の光学系支持部材５０に形成されたネジ孔５２にネジ部１９ａを螺合させることにより、止めネジ１９をネジ孔５２に挿通させ、第２の光学系支持部材５０を内部筐体７に対して取り付けることにより、第２の光学系移動ユニット５を画像読取装置本体１ａに固定する構成となっている。第１、第２の光学系移動ユニット４、５を画像読取装置本体１ａに固定した状態を図４に示す。
【００２９】
尚、上記止めネジ１８、１９にスリワリ（不図示）を形成し、ドライバー等の回転用工具を用いて、これらの止めネジ１８、１９を回動する構成としても良いし、回転用工具を用いることなく、手で回動可能な構成としても良い。
【００３０】
以上の構成により、輸送時における第１、第２の光学系移動ユニット４、５の移動が規制され、第１、第２の光学系移動ユニット４、５及びその周辺の部品の破壊、更には、第１、第２の光学系移動ユニット４、５内部の投影光学系の光軸のズレ等を抑制することが可能になる。
【００３１】
ここで、本実施形態においては、図３に示す様に、外装カバー２の裏面（即ち、左側板２ａの裏面２ｃ）に、挿通孔３０、３１を各々シールするための弾性シール部材７０、７１を設ける構成としている。この弾性シール部材７０、７１は、例えば、樹脂やゴム等により形成されており、図３に示す様に、一端部７０ａ、７１ａが、各々、上述の外装カバー２の裏面に貼り付けられている。
【００３２】
そして、止めネジ１８、１９を取り付けて、第１、第２の光学系移動ユニット４、５を固定した状態においては、上述のごとく、弾性シール部材７０、７１の一端側７０ａ、７１ａのみが、各々、左側板２ａの裏面２ｃに貼り付けられているため、図４に示す様に、止めネジ１８、１９を、各々、外装カバー２に形成された挿通孔３０、３１に挿通する際に、弾性シール部材７０、７１は、止めネジ１８、１９に押されて撓み、止めネジ１８、１９が、各々、外装カバー２に形成された挿通孔３０、３１に挿通されることを許容する位置に上記弾性シール部材７０、７１がくる構成となっている。
【００３３】
従って、この構成によれば、止めネジ１８、１９を取り外して第１、第２の光学系移動ユニット４、５の固定状態を解除し、画像読取装置１を使用する場合において、弾性シール部材７０、７１が挿通孔３０、３１を各々シールしているため、ゴミや埃等が内部筐体７内に入るのを防止することができる。従って、第１、第２の光学移動ユニット４、５が備える第１、第２、及び第３ミラー４３，５１、５２に対する当該ゴミや埃等の付着を防止することが可能になるため、結果として、画像の劣化を防止することができるようになる。
【００３４】
尚、本発明は、上記実施形態に限定されるものではなく、本発明の趣旨に基づいて各部の構造、形状等を適宜変更することが可能であり、それらを本発明の範囲から除外するものではない。
【００３５】
例えば、上記実施形態においては、第１、第２の光学系支持部材４０、５０に形成されたネジ孔４２、５２に止めネジ１８、１９を挿通させる構成としたが、上記止めネジ１８、１９の代わりに係止ピンを用いるとともに、上記ネジ孔４２、５２の代わりに係止穴を形成し、当該係止穴に係止ピンを係脱させることにより、第１、第２の光学系支持部材４０、５０を内部筐体７に対して取り付け、画像読取装置本体１ａに対する固定、及び固定解除を行う構成としても良い。
【図面の簡単な説明】
【００３６】
【図１】本発明の実施形態に係る画像読取装置の駆動機構を示す縦断面図。
【図２】本発明の実施形態に係る画像読取装置の光学上の構成を示す縦断面図。
【図３】本発明の実施形態に係る画像読取装置の固定機構を示す縦断面図。
【図４】本発明の実施形態に係る画像読取装置の固定機構を示す縦断面図。
【符号の説明】
【００３７】
１    画像読取装置
１ａ  画像読取装置本体
２    外装カバー
４    第１の光学系移動ユニット
５    第２の光学系移動ユニット
７    内部筐体
１８、１９    止めネジ
３０、３１    挿通孔
３２、３３    挿通孔
４０    第１の光学系移動枠体
４２    ネジ孔
５０    第２の光学系移動枠体
５２    ネジ孔
７０、７１    弾性部材
【図１】
2008287278.tif 000003
【図２】
2008287278.tif 000004
【図３】
2008287278.tif 000005
【図４】
2008287278.tif 000006